【事件の表示】
　特願２００２−１８３２８６「２種類のブラックインクを用いた印刷」拒絶査定不服審判事件〔平成１６年　１月２９日出願公開、特開２００４−　２５５４５〕について、次のとおり審決する。
【結　論】
　本件審判の請求は、成り立たない。
【理　由】
第１　手続の経緯
　本願は、平成１４年６月２４日の出願であって、平成１８年２月２３日付けで通知された拒絶理由に対して、同年５月８日付けで手続補正書が提出されたが、同年７月１２日付けで拒絶査定がなされ、これに対して、同年８月２４日付けで審判請求がなされるとともに、同年９月２１日付けで手続補正書が提出され、その後、当審の審尋に対する回答書が平成２０年７月２日付けで提出されたものである。
　
　
第２　平成１８年９月２１日付けの手続補正の却下の決定
　
［補正却下の決定の結論］
　平成１８年９月２１日付けの手続補正（以下、「本件補正」という。）を却下する。
　
［理由］
１．補正後の本願発明
　本件補正には、特許請求の範囲を次のように補正しようとする事項が含まれている。
　
（補正前）
　「【請求項１】印刷媒体上に画像を印刷する印刷装置であって、
　インクの着色剤が比較的定着しやすい第１種の印刷媒体に適した第１のブラックインクを吐出する第１のノズル群と、インクの着色剤が比較的定着しにくい第２種の印刷媒体に適した第２のブラックインクを吐出する第２のノズル群とを含む複数のノズル群を有する印刷ヘッドを備え、
　前記第１のノズル群は、前記第２のノズル群の少なくとも２倍の数のノズルを有し、
　第１種の印刷媒体に対しては少なくとも第１のブラックインクを用い、第２種の印刷媒体に対しては第２のブラックインクを用いるように、印刷媒体に応じてインクが選択される、印刷装置。
　【請求項２】請求項１記載の印刷装置であって、
　前記第１種の印刷媒体を使用する場合に、前記第１と第２のブラックインクの両方を使用可能なインクとして選択するとともに、前記第１のブラックインクが無くなってしまった場合には前記第１のブラックインクの代わりに前記第２のブラックインクを使用する、印刷装置。
　【請求項３】請求項１または２記載の印刷装置であって、
　前記第１種の印刷媒体は、普通紙またはマット紙であり、
　前記第２種の印刷媒体は、光沢紙である、
　印刷装置。
　【請求項４】請求項１ないし３のいずれかに記載の印刷装置であって、
　前記第１のブラックインクは、水と、表面改質カーボンブラックとを有する水性顔料分散液を含み、前記表面改質カーボンブラックは、表面に親水性官能基が導入されていることにより分散剤なしに水に分散および／または溶解が可能な着色剤である、印刷装置。
　【請求項５】請求項１ないし４のいずれかに記載の印刷装置であって、
　前記第２のブラックインクは、樹脂によって被覆された顔料を含む着色剤と、浸透剤と、水溶性有機溶剤と、水とを含む、
印刷装置。
　【請求項６】印刷媒体上に画像を印刷する印刷方法であって、
　インクの着色剤が比較的定着しやすい第１種の印刷媒体に適した第１のブラックインクを吐出する第１のノズル群と、インクの着色剤が比較的定着しにくい第２種の印刷媒体に適した第２のブラックインクを吐出する第２のノズル群とを含む複数のノズル群を有する印刷ヘッドを準備する工程と、
　印刷媒体の種類に応じて、前記第１のブラックインクと前記第２のブラックインクのいずれかを用いて印刷を実行する工程と、
を含み、
　前記第１のノズル群は、前記第２のノズル群の少なくとも２倍の数のノズルを有する、印刷方法。
　【請求項７】印刷媒体上に画像を印刷する印刷装置を用いて印刷を行うためのコンピュータプログラムであって、
　前記印刷装置は、
　インクの着色剤が比較的定着しやすい第１種の印刷媒体に適した第１のブラックインクを吐出する第１のノズル群と、インクの着色剤が比較的定着しにくい第２種の印刷媒体に適した第２のブラックインクを吐出する第２のノズル群とを含む複数のノズル群を有する印刷ヘッドを備え、
　前記第１のノズル群は、前記第２のノズル群の少なくとも２倍の数のノズルを有し、
　前記コンピュータプログラムは、
　印刷媒体の種類に応じて、前記第１のブラックインクと前記第２のブラックインクのいずれかを用いて印刷を実行するためのコンピュータプログラムを含む、
コンピュータプログラム。
　【請求項８】請求項７記載のコンピュータプログラムを記録したコンピュ
ータ読み取り可能な記録媒体。」
　なお、請求項１，２，６，７は平成１８年５月８日付けの手続補正書により補正されたもので、他の請求項は出願当初のものである。
　
（補正後）
　「【請求項１】印刷媒体上に画像を印刷する印刷装置であって、
　インクの着色剤が比較的定着しやすい第１種の印刷媒体に適した第１のブラックインクを吐出する第１のノズル群と、インクの着色剤が比較的定着しにくい第２種の印刷媒体に適した第２のブラックインクを吐出する第２のノズル群とを含む複数のノズル群を有する印刷ヘッドを備え、
　前記第１のノズル群は、前記第２のノズル群の少なくとも２倍の数のノズルを有し、
　第１種の印刷媒体に対しては少なくとも第１のブラックインクを用い、第２種の印刷媒体に対しては第２のブラックインクを用いるように、印刷媒体に応じてインクが選択され、
　前記第１種の印刷媒体を使用する場合に、前記第１と第２のブラックインクの両方を使用可能なインクとして選択するとともに、前記第１のブラックインクが無くなってしまった場合には前記第１のブラックインクの代わりに前記第２のブラックインクを使用する、
印刷装置。
　【請求項２】請求項１記載の印刷装置であって、
　前記第１種の印刷媒体は、普通紙またはマット紙であり、
　前記第２種の印刷媒体は、光沢紙である、
印刷装置。
　【請求項３】請求項１又は２記載の印刷装置であって、
　前記第１のブラックインクは、水と、表面改質カーボンブラックとを有する水性顔料分散液を含み、前記表面改質カーボンブラックは、表面に親水性官能基が導入されていることにより分散剤なしに水に分散および／または溶解が可能な着色剤である、
印刷装置。
　【請求項４】請求項１ないし３のいずれかに記載の印刷装置であって、
　前記第２のブラックインクは、樹脂によって被覆された顔料を含む着色剤と、浸透剤と、水溶性有機溶剤と、水とを含む、
印刷装置。
　【請求項５】印刷媒体上に画像を印刷する印刷方法であって、
　インクの着色剤が比較的定着しやすい第１種の印刷媒体に適した第１のブラックインクを吐出する第１のノズル群と、インクの着色剤が比較的定着しにくい第２種の印刷媒体に適した第２のブラックインクを吐出する第２のノズル群とを含む複数のノズル群を有する印刷ヘッドを準備する工程と、
　第１種の印刷媒体に対しては少なくとも第１のブラックインクを用い、第２種の印刷媒体に対しては第２のブラックインクを用いるように、印刷媒体に応じてインクを選択し、前記第１種の印刷媒体を使用する場合に、前記第１と第２のブラックインクの両方を使用可能なインクとして選択するとともに、前記第１のブラックインクが無くなってしまった場合には前記第１のブラックインクの代わりに前記第２のブラックインクを使用する工程と、
を含み、
　前記第１のノズル群は、前記第２のノズル群の少なくとも２倍の数のノズルを有する、
印刷方法。
　【請求項６】印刷媒体上に画像を印刷する印刷装置を用いて印刷を行うためのコンピュータプログラムであって、
　前記印刷装置は、
　インクの着色剤が比較的定着しやすい第１種の印刷媒体に適した第１のブラックインクを吐出する第１のノズル群と、インクの着色剤が比較的定着しにくい第２種の印刷媒体に適した第２のブラックインクを吐出する第２のノズル群とを含む複数のノズル群を有する印刷ヘッドを備え、
　前記第１のノズル群は、前記第２のノズル群の少なくとも２倍の数のノズルを有し、
　前記コンピュータプログラムは、
　第１種の印刷媒体に対しては少なくとも第１のブラックインクを用い、第２種の印刷媒体に対しては第２のブラックインクを用いるように、印刷媒体に応じてインクを選択し、前記第１種の印刷媒体を使用する場合に、前記第１と第２のブラックインクの両方を使用可能なインクとして選択するとともに、前記第１のブラックインクが無くなってしまった場合には前記第１のブラックインクの代わりに前記第２のブラックインクを使用するコンピュータプログラムを含む、
コンピュータプログラム。」
　
　この補正事項は、補正前の請求項１、８を削除するとともに、補正前の請求項１を引用していた請求項２〜５、及び独立請求項である請求項６，７を、それぞれ請求項１〜６に繰り上げ、さらに、補正後の請求項５，６において、第１種の印刷媒体を使用する場合のインク使用について、補正前の請求項２に記載されていた事項を実質的に付加して限定するものといえる。
　したがって、本件補正は、平成１４年法律第２４号改正附則第２条第１項によりなお従前の例によるとされる同法による改正前の特許法第１７条の２第４項第１号の請求項の削除、及び、同項第２号の特許請求の範囲の減縮を目的としたものに該当する。
　
　そこで、本件補正後の請求項１、請求項５、請求項６に係る発明（以下、それぞれ「本願補正発明１」「本願補正発明５」「本願補正発明６」という。）が特許出願の際独立して特許を受けることができるものであるかについて以下に検討する。
　
２．引用刊行物の記載事項
（１）刊行物１
　原査定の拒絶の理由に引用された、本願出願前に頒布された特開平１１−２２７２２９号公報（以下、「刊行物１」という。）には、図面とともに、次の事項が記載されている。（なお、下線は当審で付した。）
　
　（１ａ）「【請求項３】第１或は第２のインクを用いて記録媒体に画素をプリントするためにプリンタを制御する、コンピュータ可読媒体に格納され、ホストコンピュータで実行可能なプリントドライバであって、
前記記録媒体の材質を検出する処理を行なうコードと、
前記画素が前記第１のインクを用いてプリントされるべきであるか、或は、前記第２のインクを用いてプリントされるべきであるのかを、前記検出された記録媒体の材質に基づいて、判断する
【請求項４】前記第１のインクは高浸透性のインクであり、前記第２のインクは前記第１のインクよりも低浸透性のインクであることを特徴とする請求項３に記載のプリントドライバ。
【請求項５】前記第１のインクは染料ベースのインクであり、前記第２のインクは顔料ベースのインクであることを特徴する請求項４に記載のプリントドライバ。
【請求項６】前記
第１のインクは高浸透性のブラックインク
第２のインクは前記第１のインクよりも低浸透性のブラックインク
【請求項７】前記
検出される記録媒体の材質は、普通紙であるか特殊コート紙である
【請求項８】前記画素が前記第１のインクを用いてプリントされるべきであると判断された場合には、前記第１のインクを用いて前記画素をプリントするよう前記プリンタに指示する処理を行なうコードと、
前記画素が前記第２のインクを用いてプリントされるべきであると判断された場合には、前記第２のインクを用いて前記画素をプリントするよう前記プリンタに指示する処理を行なうコードとをさらに有することを特徴とする請求項４に記載のプリントドライバ。
【請求項９】第１或は第２のインクを用いて記録媒体に画素をプリントするためにプリンタを制御する制御方法であって、
前記
記録媒体の材質を検出する
前記
画素が前記第１のインクを用いてプリントされるべきであるか、或は、前記第２のインクを用いてプリントされるべきであるのかを、前記検出された記録媒体の材質に基づいて、判断する
【請求項１０】前記第１のインクは高浸透性のインクであり、前記第２のインクは前記第１のインクよりも低浸透性のインクであることを特徴とする請求項９に記載の制御方法。
【請求項１１】前記第１のインクは染料ベースのインクであり、前記第２のインクは顔料ベースのインクであることを特徴する請求項１０に記載の制御方法。
【請求項１２】前記
第１のインクは高浸透性のブラックインク
第２のインクは前記第１のインクよりも低浸透性のブラックインク
【請求項１３】前記
検出される記録媒体の材質は、普通紙であるか特殊コート紙である
【請求項１４】前記画素が前記第１のインクを用いてプリントされるべきであると判断された場合には、前記第１のインクを用いて前記画素をプリントするよう前記プリンタに指示する工程と、
前記画素が前記第２のインクを用いてプリントされるべきであると判断された場合には、前記第２のインクを用いて前記画素をプリントするよう前記プリンタに指示する工程とをさらに有することを特徴とする請求項１０に記載の制御方法。
【請求項１５】第１或は第２のインクを用いて記録媒体に画素をプリントするためにインクジェットプリンタを制御する、コンピュータ可読媒体に格納され、ホストコンピュータで実行可能なプリントドライバであって、
前記記録媒体は普通紙或は特殊コート紙であるかを判断する処理を行なうコードと、
前記記録媒体が特殊コート紙であると判断された場合には、前記第１のインクを用いて注目画素をプリントするよう前記プリンタに指示する処理を行なうコードと、
前記記録媒体が普通紙であると判断された場合には、前記注目画素が異なる色の領域に対応するかどうかを判断する処理を行なうコードと、
前記注目画素が異なる色の領域に対応すると判断された場合には、前記第１のインクを用いて前記注目画素をプリントするよう前記プリンタに指示する処理を行なうコードと、
前記注目画素が異なる色の領域に対応しないと判断された場合には、前記第２のインクを用いて前記注目画素をプリントするよう前記プリンタに指示する処理を行なうコードとを有することを特徴とするプリントドライバ。
　・・・（中略）・・・
【請求項５１】
第１のインク或は第２のインクのいずれかを用いて記録媒体に画素をプリントするプリンタ
前記記録媒体が普通紙であるか或は特殊コート紙であるかを判断する手段と、前記記録媒体が特殊コート紙であると判断された場合には、前記第１のインクを用いて注目画素をプリントする手段と、前記記録媒体が普通紙であると判断された場合には、前記注目画素が異なる色の領域に対応しているかどうかを判断する手段と、前記注目画素が異なる色の領域に対応していると判断された場合には、前記第１のインクを用いて前記注目画素をプリントする手段と、前記注目画素が異なる色の領域に対応していないと判断された場合には、前記第２のインクを用いて前記注目画素をプリントする手段とを有することを特徴とするプリンタ
　
　（１ｂ）「【０００１】
【発明の属する技術分野】本発明はプリントのためにいくつかの異なるインクを備えたプリントシステムに関し、特に、
低浸透性のブラックインクと高浸透性のブラックインクとが選択的に用いられて記録媒体上に黒画素をプリントする
【０００２】
【従来の技術】従来の
インクジェットプリントシステム
高浸透性インク
低浸透性と説明されるインク
【０００３】低浸透性のブラックインクはしばしば、ユーザがプリントされた黒領域とより明るい色の周辺領域との間により高いコントラストを望む場合に、黒色をプリントするために用いられる。このようなことは文字プリントのときに良く生じるものである。従って、たいていのモノクロインクジェットプリンタは低浸透性のブラックインクを用いている。
【０００４】高浸透性のブラックインクは従来、カラー画像を形成するために、異なるカラーインクとともに用いられてきた。この点、カラープリンタは通常、ＵＣＲ（下色除去）のために用いられるブラックインクとともに、減法混色の成分であるシアン、マゼンタ、イエロに対応した高浸透性のインクを備えている。」
　
　（１ｃ）「【０００７】
【発明が解決しようとする課題】しかしながら上記従来例では、残念なことに、その２値化データが多値のオリジナル画像データに基づいている場合、その２値化データは正確にそのオリジナル画像データを反映している訳ではない。その結果、黒画素のプリントのために決定された方法は、適切なものではない場合があるという問題がある。
【０００８】さらに、前述したことから分かるように、プリントされたインクの光学特性は、実質的には、記録媒体へのインクの浸透量に依存する。しかしながら、従来のインクジェットプリントシステムでは、記録媒体の吸収特性その他の特性に基づいて、低浸透性のブラックインクと高浸透性のブラックインクとを選択的に用いてプリントする備えはない。
【０００９】従って、多値画像データ及び／或は記録媒体の特性に基づいて、記録媒体に黒画素をプリントするために、高浸透性インクと低浸透性インクとを選択的に用いる備えがあるプリントシステムが必要とされている。」
　
　（１ｄ）「【００７２】プリンタ３０と共に使用できるさらに他の例のインクカートリッジでは、低光学濃度（たとえば、「写真」）インクを貯蔵し、垂直方向に配置された１３６個のカートリッジを含む。そのようなカートリッジも、前述のカラーカートリッジと同じノズル構成を有する。
１．４  
記録ヘッドの構造
プリンタ３０が記録ヘッド９８を含み、記録ヘッドが１２８個のノズルを有しほぼ垂直に構成
単色（黒など）印刷に好ましい
【００７３】
記録ヘッド９９は
好ましくは黒インク用の６４個のノズルとを含む１３６個のノズルを有する
　
　図８は以下のとおり。　
　
　（１ｅ）「【０３９９】・・・（中略）・・・
１０．０ 
 いくつかの異なる解像度によるマルチヘッド印刷
【０４００】一般的に言えば、本節では、第１および第２の記録ヘッドの解像度が互いに独立に制御されるように少なくとも第１の記録ヘッドと第２の記録ヘッドとを有するプリンタの制御について説明する。第１．０節で説明したように、
プリンタ３０は、それぞれ、１３０ａおよび１３０ｂとして指定された、２つのインクジェット記録ヘッドＡおよびＢを含む
【０４０１】各記録ヘッドが印刷を行う解像度は、ユーザ入力によってマニュアルで決定することも、あるいはたとえば、記録ヘッド１３０ａおよび１３０ｂの相対的なヘッド構成、印刷データの内容、記録（または印刷）媒体の種類に基づいて自動的に決定することもできる。この目的のためにプリンタドライバ１１４にはユーザインタフェースが設けられている。
【０４０２】プリンタに関しては、プリンタ３０は、記録ヘッド１３０ａおよび１３０ｂのそれぞれの解像度を独立に設定するコマンドを受信し、選択された解像度でプリントアウトを行う。
【０４０３】図４５Ａは、いくつかの異なるヘッドごとにそれぞれの異なる解像度を用いた場合のプリントアウトの利点について説明するための図である。図４５Ａにおいて、参照番号４００は、いくつかの異なる種類の混合印刷情報を含む記録媒体４０１上の印刷済みシートを示す。領域４０２ａ、４０２ｂ、４０２ｃ、４０２ｄは、主として、低解像度が適切な黒領域と白領域とからなるテキスト領域である。一方、領域４０４は、高解像度が望まれるカラー画像やグラフィックや線画などの非テキスト領域を表す。したがって、図４５Ａでわかるように、プリントアウト４００は混合印刷情報からなり、このうちのいくつかの情報は高解像度で印刷する必要があり、それに対して他の情報については低解像度が適切である。印刷情報は一枚の記録媒体４０１上で混合され、領域４０４や４０２ｂなどいくつかの場合には、プリンタ３０の走査方向における水平プリントバンドを横切って混合される。
【０４０４】参照番号４０５は領域４０２ａの部分の拡大図である。拡大図４０５は、
構成の異なる記録ヘッド１３０ａおよび１３０ｂ
記録ヘッド１３０ａは
黒インク用の６４個のノズル
黒ノズルとを含む
記録ヘッド１３０ｂは、黒インク専用の１２８個のノズルを含む
記録ヘッド１３０ａは高解像度カラー画像を印刷するように構成され
記録ヘッド１３０ｂは白黒画像のみを印刷するように構成される
　
　（１ｆ）「【０４４１】
プリンタ３０
図４７
【０４４２】ステップＳ４７０２で、プリンタドライバ１１４から印刷データが受信され、それに続いてステップＳ４７０３で、印刷コマンドが受信される。その後ステップＳ４７０４で、高印刷解像度が命令されているか、それとも低印刷解像度が命令されているかに応じて、ステップＳ４７０２で受信された印刷データがステップＳ４７０１のコマンドに応じて印刷される。したがって、ステップＳ４７０５で示したように、
高印刷解像度の場合、低速度で
低解像度プリントアウトの場合、高速度で
【０４４３】図４６Ｂおよび図４６Ｄに関して説明したように、ステップＳ４７０５およびステップＳ４７０６で説明した２組の印刷特性を共に使用して、走査方向で単一の印刷バンド上に印刷データを印刷するように一つの記録ヘッドを制御するようにしても良い。
１１．０  
代替インクの選択
プリンタ３０は、複数種類のインクを一つの記録媒体上に出力するように構成
【０４４４】本発明の好適な実施形態では、染料ベースの黒インクがいくつかの異なる色のインクと共に使用され、カラー印刷が容易である。そのため、染料ベースの黒インクを使用してカラー画像内に黒画素を印刷する際、この黒インクによって、カラー画像はほぼ均一な光学濃度を維持することができる。
【０４４５】これに対して、顔料ベースの黒インクを使用してカラー画像内に黒画素を印刷すると、この黒インクによってカラー画像の他の領域とのコントラストが鮮明になり、そのためカラー画像の均一さが損なわれる。しかし、黒印刷領域と異なる色の領域との間に顕著なコントラストを維持することが望ましい多数の事例が存在する。これらの事例のうちで最も顕著な事例は、黒いテキストの白い記録媒体上への印刷である。したがって、
顔料ベースの黒インクはテキストデータを印刷するために使用されることが好ましい
【０４４６】したがって、前述の実施形態では、黒目標画素を印刷するために染料ベースの黒インクを選択するか、それとも顔料ベースの黒インクを選択するかは、
黒目標画素を囲む画像データの内容に基づいて決定される。具体的には、黒目標画素が異なる色の画像データ領域に対応すると判定された場合、この目標画素は染料ベースの黒インクを使用して印刷される
そうでない場合、目標画素は、顔料ベースの黒インクを使用して印刷される
【０４４７】様々なインクの前述の視覚的特性は記録媒体へのインクの浸透度に依存するので、記録媒体の種類は、特定の印刷ジョブに
染料ベースの高浸透性黒インク
顔料ベースのインクなどの低浸透性黒インク
【０４４８】たとえば、
普通紙
高浸透性インクを付着させた場合により均一な結合がなされる特殊コート紙
【０４４９】上記に鑑みて、記録媒体上に画素を印刷するために使用されるインクの種類は、画素データを含む画像の種類とインクが配置される記録媒体との両方に依存することが好ましい。
【０４５０】
図４８
インクジェットプリンタ
記録媒体が特殊コート紙と判定された場合、プリンタは第１のインクを使用して目標画素を印刷する
記録媒体が普通紙と判定された場合は、目標画素が異なる色づけがなされる領域に対応するかどうかが判定される。目標画素が異なる色づけのなされる領域に対応する場合、プリンタは、第１のインクを使用して目標画素を印刷するよう命令される。逆に、目標画素が異なる色づけのなされる領域には対応しない場合、プリンタは第２のインクを使用して目標画素を印刷するよう命令される
　・・・（中略）・・・
【０４５９】代替インクの選択に関する上記の説明では、高浸透性黒インクおよび低浸透性黒インクに焦点を当てているが、色、浸透特性、または粘度や密度などその他の特性が互いに異なる第１のインクおよび第２のインクと共に前述の黒インクを使用することが企図されることを理解されたい。
【０４６０】さらに、
上記では普通紙と特殊コーティング高解像度用紙について論じたが、適切なインクの判定は任意の媒体種類に基づいて下すことができる
企図される他の媒体としては
透明シート
光沢紙
光沢フィルム
などが含まれる
　（１ｇ）図４７，図４８は以下のとおり。
　
　
　（１ｈ）また、第１のインク（高浸透性のブラックインク）を吐出するノズル群を有する記録ヘッドと、第２のインク（低浸透性のブラックインク）を吐出するノズル群を有する記録ヘッドがあることは、上記（１ｄ）（１ｅ）の記載事項から明らかである。　
　
　これら記載によれば、刊行物１には次の発明（以下、「刊行物１記載の発明」という。）が記載されているものと認められる。なお、上記（１ａ）の【請求項５１】の記載をベースにした。
　
　「記録媒体に画素をプリントするインクジェットプリンタであって、
　第１のインク（高浸透性のブラックインク）を吐出するノズル群を有する記録ヘッドと、第２のインク（低浸透性のブラックインク）を吐出するノズル群を有する記録ヘッドを備え、
　前記記録媒体が普通紙であるか或は特殊コート紙であるかを判断する手段　を有し、
　前記記録媒体が特殊コート紙であると判断された場合には、第１のインク（高浸透性のブラックインク）を用いて注目画素をプリントし、
　前記記録媒体が普通紙であると判断された場合には、前記注目画素が異なる色の領域に対応しているかどうかを判断して、前記注目画素が異なる色の領域に対応していると判断された場合には、前記第１のインク（高浸透性のブラックインク）を用いて前記注目画素をプリントし、前記注目画素が異なる色の領域に対応していないと判断された場合には、第２のインク（低浸透性のブラックインク）を用いて前記注目画素をプリントする、
　インクジェットプリンタ。」
　
３．対比・判断
（１）本願補正発明１について
　そこで、本願補正発明１と刊行物１記載の発明とを対比すると、
刊行物１記載の発明の「記録媒体」は、本願補正発明１の「印刷媒体」に相当する。
刊行物１記載の発明の「画素」は、画素が集まったものが画像に対応するから、本願補正発明１の「画像」に実質的に相当する。
刊行物１記載の発明の「インクジェットプリンタ」「記録ヘッド」は、本願補正発明１の「印刷装置」「印刷ヘッド」に相当する。
　
　そして、刊行物１記載の発明の「第１のインク（高浸透性のブラックインク）を吐出するノズル群を有する記録ヘッドと、第２のインク（低浸透性のブラックインク）を吐出するノズル群を有する記録ヘッドを備え」と、
　本願補正発明１の「インクの着色剤が比較的定着しやすい第１種の印刷媒体に適した第１のブラックインクを吐出する第１のノズル群と、インクの着色剤が比較的定着しにくい第２種の印刷媒体に適した第２のブラックインクを吐出する第２のノズル群とを含む複数のノズル群を有する印刷ヘッドを備え」とは、
　「第１のブラックインクを吐出する第１のノズル群と、第２のブラックインクを吐出する第２のノズル群について、両ノズル群を有する単一の印刷ヘッド、または、各ノズル群をそれぞれ有する２つの印刷ヘッドを備え」の点で共通する。
　
　また、刊行物１記載の発明の「前記記録媒体が特殊コート紙であると判断された場合には、第１のインク（高浸透性のブラックインク）を用いて注目画素をプリントし」と、
　本願補正発明１の「インクの着色剤が比較的定着しにくい第２種の印刷媒体に適した第２のブラックインク」及び「第２種の印刷媒体に対しては第２のブラックインクを用いる」とは、
　「第２種の印刷媒体に対しては第２種の印刷媒体に適した第２のブラックインクを用いる」の点で共通するということができる。
　
　次いで、刊行物１記載の発明の「前記記録媒体が普通紙であると判断された場合には、前記注目画素が異なる色の領域に対応しているかどうかを判断して、前記注目画素が異なる色の領域に対応していると判断された場合には、前記第１のインク（高浸透性のブラックインク）を用いて前記注目画素をプリントし、前記注目画素が異なる色の領域に対応していないと判断された場合には、第２のインク（低浸透性のブラックインク）を用いて前記注目画素をプリントする」と、
　本願補正発明１の「インクの着色剤が比較的定着しやすい第１種の印刷媒体に適した第１のブラックインク」「第１種の印刷媒体に対しては少なくとも第１のブラックインクを用い」とは、
　刊行物１記載の発明の第２のインク（低浸透性のブラックインク）が、本願補正発明１の第１のブラックインクに対応するとみることができるから、
　「第１種の印刷媒体に対しては少なくとも第１種の印刷媒体に適した第１のブラックインクを用い」の点で共通するということができる。
　
　そうすると、両者の一致点、相違点は次のとおりと認められる。
　
［一致点］
　「印刷媒体上に画像を印刷する印刷装置であって、
　第１のブラックインクを吐出する第１のノズル群と、第２のブラックインクを吐出する第２のノズル群について、両ノズル群を有する単一の印刷ヘッド、または、各ノズル群をそれぞれ有する２つの印刷ヘッドを備え、
　第１種の印刷媒体に対しては少なくとも第１種の印刷媒体に適した第１のブラックインクを用い、第２種の印刷媒体に対しては第２種の印刷媒体に適した第２のブラックインクを用いるように、印刷媒体に応じてインクが選択される、
　印刷装置。」
　
［相違点１］
　インクに関して、
　本願補正発明１は、第１のブラックインクが「インクの着色剤が比較的定着しやすい第１種の印刷媒体に適した」ものであり、第２のブラックインクが「インクの着色剤が比較的定着しにくい第２種の印刷媒体に適した」ものであるのに対し、
　刊行物１記載の発明は、第１のブラックインクが、普通紙に対応する「第２のインク（低浸透性のブラックインク）」であり、第２のブラックインクが、主として特殊コート紙に対応した「第１のインク（高浸透性のブラックインク）」である点。
　
［相違点２］
　ノズル群、印刷ヘッドに関して、
　本願補正発明１は、第１ノズル群，第２のノズル群の両方を有する単一の印刷ヘッドを備え、第１のノズル群（第１のブラックインクに対応）は、第２のノズル群（第２のブラックインクに対応）の少なくとも２倍の数のノズルを有するのに対し、
　刊行物１記載の発明は、各ノズル群をそれぞれ有する２つの印刷ヘッドであり、単一の印刷ヘッドではなく、また、第１のノズル群と第２のノズル群とのノズル数の数については特定がない点。
　
［相違点３］
　第１のブラックインクが無くなった場合の対応に関して、
　本願補正発明１は、第１種の印刷媒体を使用する場合に、第１と第２のブラックインクの両方を使用可能なインクとして選択するとともに、第１のブラックインクが無くなってしまった場合には第１のブラックインクの代わりに第２のブラックインクを使用するのに対して、
　刊行物１記載の発明は、条件により、第１のブラックインク［刊行物１では第２のインク（低浸透性のブラックインク）］と、第２のブラックインク［刊行物１では第１のインク（高浸透性のブラックインク）］とを使い分けるものの、第１のブラックインクが無くなった場合の対応については明記がない点。
　
　次に相違点について検討する。
　
（相違点１について）
　まず、本願補正発明１において、相違点１に係る構成を採用する意義を確認すると、本願明細書の【０００３】【０００４】には、印刷媒体の種類によって適したインクは異なるが、従来は、印刷媒体の種類に応じて適したブラックインクを用いて印刷を行うことが考慮されていないという問題があり、本願発明では、印刷媒体の種類に応じて適したブラックインクを用いて印刷を行う技術を提供することを目的とする旨の記載があり、この目的に対応したのが、本願補正発明１における相違点１に係る構成ということができる。
　そして、刊行物１記載の発明も、印刷媒体の種類に応じて適したブラックインクを用いて印刷を行うという点で、本願補正発明１と全く同じ技術思想である。
　ただ、想定している印刷媒体の種類が、刊行物１記載の発明では、普通紙と特殊コート紙であり、本願補正発明１では、インクの着色剤が比較的定着しやすい第１の印刷媒体（本願明細書の【００２１】では、普通紙やマット紙が想定されている。）とインクの着色剤が比較的定着しにくい第２の印刷媒体（同じく、光沢紙やＯＨＰシートなどのフィルム系用紙が想定されている。）であるという違いがある。
　しかしながら、刊行物１には、「【０４６０】さらに、上記では普通紙と特殊コーティング高解像度用紙について論じたが、適切なインクの判定は任意の媒体種類に基づいて下すことができる。企図される他の媒体としては、透明シート、光沢紙、光沢フィルム、バックプリントフィルム、布シート、Ｔシャツ転写、バブルジェット用紙、挨拶状ストック、パンフレット紙などが含まれる。」（１ｆ）という記載があり、特殊コート紙に代えて、光沢紙や透明シート、光沢フィルムを使用して、適切なインクを判定するという思想が開示されている。
　また、インクの着色剤が比較的定着しやすい印刷媒体（普通紙など）に適したブラックインク、インクの着色剤が比較的定着しにくい印刷媒体（光沢紙やＯＨＰシートなどのフィルム系用紙）に適したブラックインクは、共に、本願出願前に種々提案されており、文献を示すまでもなく、周知である。
　なお、第１のブラックインク、第２のブラックインクの具体的な組成等については、本件補正後の請求項３，４に規定されているが、そのような第１のブラックインク、第２のブラックインクは、原審の拒絶理由で引用された特開平１１−９２６８６号公報、特開２００２−３０２３７号公報により、既に公知である。
　そうすると、刊行物１記載の発明において、普通紙と特殊コート紙の各々に適するインクに代えて、本願補正発明１と同様の、インクの着色剤が比較的定着しやすい第１の印刷媒体（普通紙など）とインクの着色剤が比較的定着しにくい第２の印刷媒体（光沢紙やＯＨＰシートなどのフィルム系用紙）の各々に適するインクを採用することは、当業者ならば容易に想到し得ることである。
　
（相違点２について）
　まず、刊行物１記載の発明において、各ノズル群をそれぞれ有する２つの印刷ヘッドに代えて、第１ノズル群，第２のノズル群の両方を有する単一の印刷ヘッドとすることは、当業者が適宜なし得る設計的事項である。
　
　次に、第１のノズル群と第２のノズル群とのノズル数の数については、刊行物１の上記（１ｄ）〜（１ｆ）には、白黒画像用に、記録ヘッド１３０ｂ（又は９８）に黒インク用の１２８個のノズルを設け、かつ、カラー画像用に、記録ヘッド１３０ａ（または９９）に黒インク用の６４個のノズル（イエロインク用ノズル、マゼンタインク用ノズル、シアンインク用ノズルとともに）を設ける旨が記載されており、これは、本願補正発明１における、第１のノズル群（第１のブラックインクに対応）が、第２のノズル群（第２のブラックインクに対応）の少なくとも２倍の数のノズルを有することと、同様の構成である。
　そうすると、刊行物１記載の発明において、第１のノズル群（第１のブラックインクに対応）が、第２のノズル群（第２のブラックインクに対応）の少なくとも２倍の数のノズルを有するものとすることは、当業者が容易になし得ることである。
　
（相違点３について）
　インク切れが発生したときに、そのインクに代えて、他のインクで代用することは、本願出願前に周知の技術である。例えば、原審で例示された、特開２００１−３２２２９９号公報、特開平８−１１８６７３号公報には、ブラックインクをプロセスブラック（ＣＭＹインク）で代用したり、イエローインクをライトイエローインクで代用したり、ＹインクをＭインクとＣインクで代用すること等が記載されている。
　そして、この周知技術を知っている当業者であれば、刊行物１記載の発明において、第１のブラックインク（刊行物１では第２のインク（低浸透性のブラックインク））が無くなった場合に、第１のブラックインクの代わりに第２のブラックインク（刊行物１では第１のインク（高浸透性のブラックインク））を使用することを、容易に想到することができるものである。
　なお、請求人は、回答書で、本願発明では、２種のブラックインクがいずれもブラックインクなので、インク吐出量の再調整を行う必要がないが、上記の例示文献のものでは、インクの切換に伴ってインク吐出量の再調整が必要になるため、本願発明の構成とは大きな差異がある旨を主張する。しかし、上記の周知技術とは、インク切れが発生したときに、そのインクに代えて、他のインクで代用することであり、この知識を有する当業者であれば、刊行物１記載の発明において、低浸透性のブラックインクが切れた場合に、高浸透性のブラックインクで代用しようとすることは、自然な発想であるから、請求人の主張は採用できない。なお、ついでに示しておくが、使用するブラックインクが２種あるときに、一方のブラックインクが切れたときに、他方のブラックインクで代用することも、周知である。例えば、特開平６−１８３０３２号公報（【００２５】等。これは、請求人の先願に係わる公開公報である。）、特開平７−３１４６５６号公報（請求項３等）、特開２００２−７９６６２号公報（請求項３、【００３８】等）を参照。
　
（効果について）
　また、全体としてみて、本願補正発明１によってもたらされる効果も、刊行物１に記載された事項、周知技術から、当業者であれば当然に予測することができる程度のものであって、格別のものとはいえない。
　
（まとめ）
　したがって、本願補正発明１は、刊行物１に記載された発明及び周知技術に基づいて当業者が容易に発明をすることができたものであるから、本願補正発明１は、特許法第２９条第２項の規定により、特許出願の際特許を受けることができない。
　
（２）本願補正発明５，６について
　本願補正発明５，６は、それぞれ印刷方法に係る発明、コンピュータプログラムに係る発明であるが、実質的な内容は、印刷装置に係る発明である本願補正発明１と変わるところがない。
　したがって、本願補正発明５，６も、やはり、刊行物１に記載された発明及び周知技術に基づいて当業者が容易に発明をすることができたものであるから、本願補正発明５，６は、特許法第２９条第２項の規定により、特許出願の際特許を受けることができない
　
４．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
　
第３　本願発明について
１．本願発明１
　平成１８年９月２１日付けの手続補正は上記のとおり却下されたので、本願の請求項１〜８に係る発明は、平成１８年５月８日付けの手続補正書により補正された明細書の特許請求の範囲の請求項１〜８に記載された事項により特定されるとおりのものと認められるところ、その請求項１に係る発明は（以下、「本願発明１」という。）は、次のとおりである。
　
　「【請求項１】印刷媒体上に画像を印刷する印刷装置であって、
　インクの着色剤が比較的定着しやすい第１種の印刷媒体に適した第１のブラックインクを吐出する第１のノズル群と、インクの着色剤が比較的定着しにくい第２種の印刷媒体に適した第２のブラックインクを吐出する第２のノズル群とを含む複数のノズル群を有する印刷ヘッドを備え、
　前記第１のノズル群は、前記第２のノズル群の少なくとも２倍の数のノズルを有し、
　第１種の印刷媒体に対しては少なくとも第１のブラックインクを用い、第２種の印刷媒体に対しては第２のブラックインクを用いるように、印刷媒体に応じてインクが選択される、印刷装置。」
　
２．引用刊行物の記載事項
　これに対して、原査定の拒絶の理由に引用された、特開平１１−２２７２２９号公報（上記「刊行物１」）の記載事項は、前記「第２　２．」に記載したとおりである。
　
３．対比・判断
　本願発明１は、本願補正発明１から、「前記第１種の印刷媒体を使用する場合に、前記第１と第２のブラックインクの両方を使用可能なインクとして選択するとともに、前記第１のブラックインクが無くなってしまった場合には前記第１のブラックインクの代わりに前記第２のブラックインクを使用する」という限定事項を省いたものに相当する。
　そうすると、本願発明１の構成要件を全て含み、更に他の要件を付加したものに相当する本願補正発明１が、前記「第２　３．（１）」に記載したとおり、刊行物１に記載された発明及び周知技術に基づいて当業者が容易に発明をすることができたものであるから、本願発明１も、同様に理由により、刊行物１に記載された発明及び周知技術に基づいて当業者が容易に発明をすることができたものである。
　
４．むすび
　以上のとおり、本願の請求項１に係る発明は、特許法第２９条第２項に規定により特許を受けることができないものである。
　したがって、他の請求項について検討するまでもなく、本願は、拒絶すべきものである。
　よって、結論のとおり審決する。